(57)【要約】【課題】従来の二重照光方式押ボタンように仕切り壁や導光板を用いて光源を分割することなく、押ボタンの意匠面の視覚効果が段階的に変化する機能を実現できるようにする。【解決手段】本発明の実施形態による押ボタン装置は、文字、数字、記号あるいはこれらの組み合わせを表示する意匠面を有し、弾性力に抗して押し込み可能なボタントップ２５と、ボタントップ２５の押し込み操作によりＯＮ/ＯＦＦ動作するスイッチ素子３０と、基板上に二次元配列された複数のＬＥＤ素子２８からなり、スイッチ素子３０と連動して点灯し意匠面を照光する光源と、を備え、光源全体としての発光パターンをスイッチ素子３０と連動して段階的に変化させることにより、意匠面全体の発光状態が段階的に変化するようにした。【選択図】図２
2015048238.tif 000002
【特許請求の範囲】
【請求項１】
エレベータの乗場や乗りかご内に設置される操作盤に設けられ、乗客が指先で操作して所定の情報をエレベータ制御部に伝達するエレベータの押ボタン装置において、
文字、数字、記号あるいはこれらの組み合わせを表示する意匠面を有し、弾性力に抗して押し込み可能なボタントップと、
前記ボタントップの押し込み操作によりＯＮ/ＯＦＦ動作するスイッチ素子と、
基板上に二次元配列された複数のＬＥＤ素子からなり、前記スイッチ素子と連動して点灯し前記意匠面を照光する光源と、を備え、
前記光源全体としての発光パターンを前記スイッチ素子と連動して段階的に変化させることにより、前記意匠面全体の発光状態が段階的に変化するようにしたことを特徴とするエレベータの押ボタン装置。
【請求項２】
前記発光パターンは、光源の発光領域に配列された複数のＬＥＤ列をあらかじめ設定した順序で段階的に発光させるパターンであることを特徴とする請求項１に記載のエレベータの押ボタン装置。
【請求項３】
前記発光パターンは、最後の段階では、発光したＬＥＤ列の輝度を前段階よりも高くすることを特徴とする請求項２に記載のエレベータの押ボタン装置。
【請求項４】
前記発光パターンは、光源の発光領域に配置されたＬＥＤ素子の輝度が段階的に変化するパターンであることを特徴とする請求項１または２に記載のエレベータの押ボタン装置。
【請求項５】
前記発光パターンは、光源の発光領域に配置されたＬＥＤ素子の発光色が段階的に変化するパターンであることを特徴とする請求項１または２に記載のエレベータの押ボタン装置。
【発明の詳細な説明】
【技術分野】
【０００１】
本発明の実施形態は、エレベータの操作盤で利用される押ボタン装置に関する。
【背景技術】
【０００２】
エレベータ乗場の操作盤や、乗りかごの操作盤には、複数種類の押ボタンが設けられている。乗客は、乗場で乗りかごを呼ぶとき、あるいは乗りかごに乗ってから行き先階を登録するときには押しボタンを押して操作する。
【０００３】
行き先階を登録する押ボタンを例にとると、それぞれ押ボタンの表面には、階床の数字が表示されている。例えば、乗客が７階に行こうとして、７の数字の表示された押ボタンを押すと、その７の数字が明るく照光された状態になり、行き先階が登録されたことを乗客に了知させる。従来の押ボタンでは、照光されて明るくなるのは、１つの押ボタンの意匠面で単一の表示だけであるのが通常である。
【０００４】
近年では、照光の仕方を工夫することによって、１つの押ボタンの意匠面に、二種類以上の表示を段階的に明るくする二重照光方式の押ボタンが操作盤に適用されている。この種の二重照光方式の押ボタンに関する従来技術としては、例えば、特許文献１に記載されているものを挙げることができる。
【０００５】
ここで、図９は、従来の二重照光方式の押ボタンの意匠面の一例を示す図である。
【０００６】
この押ボタンは、乗りかごの操作盤で行き先階を登録する操作を行う押ボタンである。数字の１は、１階を示している。数字１を白抜きで表し、文字発光部１０を形成している。そして、数字１を枠状に取り囲むように白抜きの周囲発光部１２を形成している。周囲発光部１２が照光されて明るくなることで、建物の階床のうち、エレベータの乗りかごが止まる階を表示し、押ボタンが押されることで、文字発光部１２が照光されて明るくなり、行き先階が登録されたことを操作者に視覚的に認識させることができる。
【先行技術文献】
【特許文献】
【０００７】
【特許文献１】特開２００３−３０８７６８号公報
【発明の概要】
【発明が解決しようとする課題】
【０００８】
しかしながら、従来の二重照光方式押ボタンでは、文字発光部１０、周囲発光部１２というように、発光させる領域ごとに光源を分割してそれぞれ別々に割り当てていた。このため、押ボタンの内部には、光源を仕切る壁を設けなければならなくなったり、光源からそれぞれ発光させる領域に光を導く導光板などの機械的部品が必要となっていた。このため、基板やボタンガイドを収容するハウジングの幅や奥行きが増大し、ボタンの構造が不可避的に大きくなるという問題があった。
【０００９】
本発明は、前記従来技術の有する問題点に鑑みなされたものであり、従来の二重照光方式押ボタンように仕切り壁や導光板を用いて光源を分割することなく、押ボタンの意匠面の視覚効果が段階的に変化する機能を実現できるようにしたエレベータの押ボタン装置を提供することを目的とする。
【課題を解決するための手段】
【００１０】
前記の目的を達成するために、本発明は、エレベータの乗場や乗りかご内に設置される操作盤に設けられ、乗客が指先で操作して所定の情報をエレベータ制御部に伝達するエレベータの押ボタン装置において、文字、数字、記号あるいはこれらの組み合わせを表示する意匠面を有し、弾性力に抗して押し込み可能なボタントップと、前記ボタントップの押し込み操作によりＯＮ/ＯＦＦ動作するスイッチ素子と、基板上に二次元配列された複数のＬＥＤ素子からなり、前記スイッチ素子と連動して点灯し前記意匠面を照光する光源と、を備え、前記光源全体としての発光パターンを前記スイッチ素子と連動して段階的に変化させることにより、前記意匠面全体の発光状態が段階的に変化するようにしたことを特徴とするものである。
【図面の簡単な説明】
【００１１】
【図１】本発明によるエレベータの押ボタン装置が適用される乗りかご内の操作盤の例を示す図である。
【図２】本発明の実施形態によるエレベータの押ボタン装置の断面図である。
【図３】本発明の実施形態によるエレベータの押ボタン装置の意匠面を示す図である。
【図４】本発明の第１実施形態によるエレベータの押ボタン装置における光源であるＬＥＤ素子の配列を示す図である。
【図５】本発明の第１実施形態による押ボタン装置の意匠面の視覚効果の変化を示す説明図である。
【図６】本発明の第２実施形態による押ボタン装置の意匠面の視覚効果の変化を示す説明図である。
【図７】本発明の第３実施形態によるエレベータの押ボタン装置における光源であるＬＥＤ素子の配列を示す図である。
【図８】本発明の第３実施形態による押ボタン装置の意匠面の視覚効果の変化を示す説明図である。
【図９】エレベータの押ボタン装置の意匠面を示す図である。
【発明を実施するための形態】
【００１２】
以下、本発明によるエレベータの押ボタン装置の実施形態について、添付の図面を参照しながら説明する。
【００１３】
第１実施形態
図１は、本発明の第１実施形態によるエレベータの押ボタン装置が適用される乗りかご内の操作盤を示している。図１において、参照番号２０が行き先階を登録する操作を行う押ボタン装置である。この実施形態の場合、エレベータの運行サービスをする階は、１階から８階まであり、各押ボタン２０の意匠面には、１〜８までの数字が表示されている。
【００１４】
次に、図２は、本実施形態による押ボタン装置２０の構造を示す断面図である。操作盤のフェイスプレート２２には、開口部２３が形成されている。フェイスプレート２２の裏面には、押ボタン装置２０のハウジング２４が取り付けられている。ボタンの意匠面を形成しているボタントップ２５は、フェイスプレート２２の開口部２３から外側に臨むように配置されている。
【００１５】
押ボタン装置２０のハウジング２４の内部には基板２６が収容されている。この基板２６の表面には銅箔が貼られており、この銅箔に光源である複数のＬＥＤ光源２８、ばね構造をもっているプッシュスイッチ３０、ＬＥＤ光源２８の点灯を制御する回路を構成する電子部品（図示せず）などがはんだ付けされている。なお、光源であるＬＥＤ光源２８についてはさらに後述する。
【００１６】
ボタントップ２５と基板２６との間には、操作子枠３１が配置されている。この操作子枠３１には、プッシュスイッチ３０を操作する操作子３２が突出形成され、ボタントップ２５と一体的に変位し、操作子３２でプッシュスイッチ３０を押圧してＯＮ、ＯＦＦなどの操作を行う。
【００１７】
ボタントップ２５の裏面には、ＬＥＤ光源２８の光を拡散するための樹脂シートを複数枚重ねて構成した拡散シート３３が取着されている。そのうち、一枚の樹脂シートには、エレベータの止まる建物の階を示す数字、文字、乗りかごの移動方向を示す矢印等の記号、あるいはこれらの組み合わせが印刷されている。
【００１８】
ここで、図３は、ボタントップ２５の意匠面の例を示す図である。この図３は、建物の階を示す数字をボタントップ２５の意匠面の表示３４としている例である。例えば、白抜きで数字１が表現されている。
【００１９】
次に、図４は、押ボタン装置２０の基板２６上におけるＬＥＤ光源２８の配列を示す。この実施形態では、それぞれ３個のＬＥＤからなるＬＥＤ列３６ａ、３６ｂはボタン中央部を照光する光源として基板２６の中央部に配置されている。同様に、３個のＬＥＤからなるＬＥＤ列３７ａ、３７ｂはがボタン周辺部を照光する光源としてＬＥＤ列３６ａ、３６ｂの外側に配置されている。
【００２０】
ＬＥＤ列３６ａ、３６ｂと、ＬＥＤ列３７ａ、３７ｂとは、発光するための電気信号が別々になっており、ＬＥＤ列３６ａ、３６ｂだけを単独で発光させたり、ＬＥＤ列３７ａ、３７ｂだけを単独で発光させ、あるいは、ＬＥＤ列３６ａ、３６ｂとＬＥＤ列３７ａ、３７ｂを共に発光させることができる。
【００２１】
このようなＬＥＤ列３６ａ、３６ｂと、ＬＥＤ列３７ａ、３７ｂの発光パターンは、中央のＬＥＤ列３６ａ、３６ｂを発光させる第１段階の発光パターンと、周辺のＬＥＤ列３７ａ、３７ｂも発光させる第２段階の発光パターンが設定されている。操作盤の機能との関連では、第１段階の発光パターンは、エレベータの乗りかごが停止できることを示す表示であり、第２段階の発光パターンは、利用者がエレベータで移動する目的階が登録されたことを示す表示である。
【００２２】
本実施形態によるエレベータの押ボタン装置は、以上のように構成されるものであり、次に、その作用並びに効果について説明する。  
エレベータの乗りかご内の操作盤では、第１段階の発光パターンの状態にある押ボタン装置２０の意匠面には、図５（ａ）に示されるように、中央のＬＥＤ列３６ａ、３６ｂの発光によって、乗りかごが停止できる階を示す数字の表示３４の中央部が明るく点灯されている。
【００２３】
乗りかごに乗り込んだ乗客は、この押ボタン装置２０の意匠面をみて、目的階に乗りかごが停止することを認識することができる。そして、ボタントップ２５を押すと、図５（ｂ）に示されるように、さらに、周辺のＬＥＤ列３７ａ、３７ｂが発光し、数字の表示３４の周囲も明るくなることで、その視覚効果の変化から行き先階が登録されたことを視覚的に認識することができる。
【００２４】
このように、従来の二重照光方式押ボタンように仕切り壁や導光板を用いて光源を分割することなく、ＬＥＤ列３６ａ、３６ｂおよびＬＥＤ列３７ａ、３７ｂを一定の順序で段階的に発光させる発光パターンにより、二重照光方式押ボタンと同様の表示機能を実現することができる。また、基板上の回路の変更により、一般的な単独発光する押ボタンの本実施形態の押ボタンへの改造も容易である。
【００２５】
発光パターンの他の変形例としては、第１段階の発光パターンでは、中央のＬＥＤ列３６ａ、３６ｂを輝度が低い状態で点灯させ、第２段階の発光パターンでは、周辺のＬＥＤ列３６ａ、３６ｂを輝度が高い状態で点灯させるようにしてもよい。
【００２６】
乗客は、ボタントップ２５を押すと、その前後で輝度のコントラストをもって、数字の表示の周囲がより明るくなるので、行き先階が登録されたことを明瞭に認識することができる。
【００２７】
第２実施形態
次に、本発明の第２実施形態によるエレベータの押ボタン装置について、図６を参照して説明する。
【００２８】
この第２実施形態では、乗りかご内に、操作盤の他に車いす専用ボタンが設けられており、車いすの利用者にも役立つように、次のような三段階の発光パターンが設定されている。
【００２９】
第１段階の発光パターンは、エレベータの乗りかごが停止できることを示すために、中央のＬＥＤ列３６ａ、３６ｂが点灯するパターンである（図６（ａ））。第２段階の発光パターンは、利用者がエレベータで移動する目的階が登録されたことを示すために、周辺のＬＥＤ列３７ａ、３７ｂも点灯するパターンである（図６（ｂ））。この第１段階、第２段階は第１実施形態と同様である。
【００３０】
この第２実施形態では、第３段階の発光パターンとして、車いす専用ボタンが押されたときに、中央のＬＥＤ列３６ａ、３６ｂと周辺ＬＥＤ列３７ａ、３７ｂのすべてのＬＥＤを、第１段階、第２段階のときよりもさらに高い輝度で点灯させる発光パターンが設定されている（図６（ｃ））。
【００３１】
以上のような第２実施形態の作用について説明する。
【００３２】
エレベータの乗りかご内の操作盤で、第１段階の発光パターンの状態にある押ボタン装置２０の意匠面には、図６（ａ）に示されるように、中央のＬＥＤ列３６ａ、３６ｂの発光によって、乗りかごが停止できる階を示す数字の表示３４の中央部が明るく点灯されている。
【００３３】
乗りかごに乗り込んだ乗客は、この押ボタン装置２０の意匠面をみて、目的階に乗りかごが停止することを認識することができる。そして、ボタントップ２５を押すと、さらに、周辺のＬＥＤ列３７ａ、３７ｂが発光し（図６（ｂ））、数字の表示３４の周囲が明るくなることで、視覚効果の変化から行き先階が登録されたことを視覚的に認識することができる。
【００３４】
次に、乗客が車いす利用者であった場合、その乗客が車いす専用ボタンを押して行き先を登録したとする。乗りかご内の操作盤の行き先階の表す押ボタン装置２０では、中央のＬＥＤ列３６ａ、３６ｂと周辺ＬＥＤ列３７ａ、３７ｂのすべてのＬＥＤがより高い輝度で発光するので（図６（ｃ））、そのボタン意匠面の表示３４全体は、より明るく点灯する。車いす利用者は、これをみて、車いす専用ボタンの操作によって、間違いなく行き先が登録されたことを視覚的に認識することができる。
【００３５】
第３実施形態
次に、本発明の第３実施形態によるエレベータの押ボタン装置について、図７、図８を参照して説明する。
【００３６】
この第３実施形態では、図７に示されるように、押ボタン装置２０内部のＬＥＤ光源２８は、中央のＬＥＤ列４０と、周辺のＬＥＤ列４２ａ、４２ｂが配置されている。
【００３７】
このような中央のＬＥＤ列４０と、周辺のＬＥＤ列４２ａ、４２ｂの発光パターンは、第１段階では、中央のＬＥＤ列４０とともに周辺のＬＥＤ列４２ａ、４２ｂを低い輝度で発光させる（図８（ａ））。第２段階では、中央のＬＥＤ列４０とともに周辺のＬＥＤ列４２ａ、４２ｂを第１段階よりもより高い輝度で発光させるようになっている（図８（ｂ））。操作盤の機能との関連では、第１段階の発光パターンは、エレベータの乗りかごが停止できることを示す表示であり、第２段階の発光パターンは、利用者がエレベータで移動する目的階が登録されたことを示す表示である。
【００３８】
以上のような第３実施形態の作用について説明する。
【００３９】
エレベータの乗りかご内の操作盤で、第１段階の発光パターンの状態にある押ボタン装置２０の意匠面には、（図８（ａ））に示されるように、中央のＬＥＤ列４０と周辺のＬＥＤ４２ａ、４２ｂの比較的低い輝度での発光によって、乗りかごが停止できる階を示す数字の表示３４の全体が点灯されている。
【００４０】
乗りかごに乗り込んだ乗客は、この押ボタン装置２０の意匠面をみて、目的階に乗りかごが停止することを認識することができる。そして、行き先階の表示されているボタントップ２５を押すと、さらに、中央のＬＥＤ列４０と周辺のＬＥＤ４２ａ、４２ｂがより高い輝度で発光し（図８（ｂ））、数字の表示３４の全体がより明るくなることで、視覚効果の変化から行き先階が登録されたことを視覚的に認識することができる。
【００４１】
以上は、すべてのＬＥＤの輝度に段階的な変化につけた発光パターンの例であるが、ＬＥＤの輝度の替わりに、電流値の大きさに応じて発光する色が異なるＬＥＤを光源として用い、発光色に変化をつけた発光パターンにするようにしてもよい。また、第１実施形態の発光パターンと第２実施形態の発光パターンを組み合わせるようにしてもよい。
【００４２】
例えば、第１段階では、中央のＬＥＤ列４０とともに周辺のＬＥＤ列４２ａ、４２ｂを緑色で発光させるようにし、第２段階では、中央のＬＥＤ列４０とともに周辺のＬＥＤ列４２ａ、４２ｂを青色で発光させるようにする。
【００４３】
このような段階的な発光パターンによれば、乗りかごに乗り込んだ乗客は、この押ボタン装置２０の意匠面の表示が緑になっているのをみて、目的階に乗りかごが停止することを認識することができる。そして、行き先階の表示されているボタントップ２５を押すと、さらに、中央のＬＥＤ列４０と周辺のＬＥＤ４２ａ、４２ｂがより青色で発光し、数字の表示３４の全体の色感が変化することで、行き先階が登録されたことを視覚的に認識することができる。
【００４４】
また、本実施形態によれば、従来の二重照光方式押ボタンように仕切り壁や導光板を用いて光源を分割することなく、ＬＥＤ列４０およびＬＥＤ列４２ａ、４２ｂの輝度、または発光色を段階的に変化させる発光パターンにより、二重照光方式押ボタンと同様の表示機能を実現することができる。
【００４５】
以上、本発明のエレベータの押ボタン装置について、好適な実施形態を挙げて説明したが、これらの実施形態は、例示として挙げたもので、発明の範囲の制限を意図するものではない。もちろん、明細書に記載された新規な装置、方法およびシステムは、様々な形態で実施され得るものであり、さらに、本発明の主旨から逸脱しない範囲において、種々の省略、置換、変更が可能である。請求項およびそれらの均等物の範囲は、発明の主旨の範囲内で実施形態あるいはその改良物をカバーすることを意図している。
【符号の説明】
【００４６】
２０…押ボタン装置、２２…フェイスプレート、２４…ハウジング、２３…開口部、２５…ボタントップ、２８…ＬＥＤ光源、３１…操作子枠、３２…操作子、３３…拡散シート、３６ａ、３６ｂ…ＬＥＤ列、３７ａ、３７ｂ…ＬＥＤ列
【図１】
2015048238.tif 000003
【図２】
2015048238.tif 000004
【図３】
2015048238.tif 000005
【図４】
2015048238.tif 000006
【図５】
2015048238.tif 000007
【図６】
2015048238.tif 000008
【図７】
2015048238.tif 000009
【図８】
2015048238.tif 000010
【図９】
2015048238.tif 000011
【手続補正書】
【提出日】平成26年11月4日(2014.11.4)
【手続補正１】
【補正対象書類名】明細書
【補正対象項目名】００１０
【補正方法】変更
【補正の内容】
【００１０】
前記の目的を達成するために、本発明は、エレベータの乗場や乗りかご内に設置される操作盤に設けられ、乗客が指先で操作して所定の情報をエレベータ制御部に伝達するエレベータの押ボタン装置において、文字、数字、記号あるいはこれらの組み合わせの表示を表示する意匠面を表面に有し前記表示が白抜きで表された拡散シートを裏面に有する、弾性力に抗して押し込み可能なボタントップと、前記ボタントップの押し込み操作によりＯＮ/ＯＦＦ動作するスイッチ素子と、基板上に二次元配列された複数のＬＥＤ素子からなり、前記スイッチ素子と連動して点灯し前記意匠面を照光する光源と、を備え、前記光源全体としての発光パターンを前記スイッチ素子と連動して段階的に変化させることにより、前記意匠面全体の発光状態が段階的に変化するようにしたことを特徴とするものである。
【手続補正２】
【補正対象書類名】特許請求の範囲
【補正対象項目名】請求項１
【補正方法】変更
【補正の内容】
【請求項１】
エレベータの乗場や乗りかご内に設置される操作盤に設けられ、乗客が指先で操作して所定の情報をエレベータ制御部に伝達するエレベータの押ボタン装置において、
文字、数字、記号あるいはこれらの組み合わせの表示を表示する意匠面を表面に有し前記表示が白抜きで表された拡散シートを裏面に有する、弾性力に抗して押し込み可能なボタントップと、
前記ボタントップの押し込み操作によりＯＮ/ＯＦＦ動作するスイッチ素子と、
基板上に二次元配列された複数のＬＥＤ素子からなり、前記スイッチ素子と連動して点灯し前記意匠面を照光する光源と、を備え、
前記光源全体としての発光パターンを前記スイッチ素子と連動して段階的に変化させることにより、前記意匠面全体の発光状態が段階的に変化するようにしたことを特徴とするエレベータの押ボタン装置。